(57)【要約】【課題】柔軟な発信規制を行う。【解決手段】本発明に係る移動通信方法は、移動局ＵＥと無線アクセスネットワーク装置ｅＮＢ/ＲＮＣとの間でＡＳコネクションが設定されている状態で、交換局ＭＭＥ/ＳＧＳＮに対して、特定通信用のＮＡＳコネクション設定要求信号を送信する工程と、交換局ＭＭＥ/ＳＧＳＮが、特定通信用のＮＡＳコネクション設定要求信号を受信した場合で、かつ、所定条件が満たされる場合、特定通信用のＮＡＳコネクションの設定を規制することを決定する工程と、移動局ＵＥが、特定通信用のＮＡＳコネクションの設定を規制する規制時間を含む拒絶信号を受信してから当該規制時間が経過するまで、特定通信用の第１コネクション設定要求信号及び特定通信用のＮＡＳコネクション設定要求信号の送信を規制する工程とを有する。【選択図】図４
2010041630.tif 000002
【特許請求の範囲】
【請求項１】
移動局と特定接続先との間の特定通信を行う移動通信方法であって、
前記移動局と無線アクセスネットワーク装置との間で第１コネクションが設定されている状態で、交換局に対して、該移動局と該交換局との間で前記特定通信用の第２コネクションを設定するように要求する第２コネクション設定要求信号を送信する工程Ａと、
前記交換局が、前記第２コネクション設定要求信号を受信した場合で、かつ、所定条件が満たされる場合、前記特定通信用の第２コネクションの設定を規制することを決定する工程Ｂと、
前記交換局が、前記移動局に対して、前記特定通信用の第２コネクションの設定を規制する規制時間を含む拒絶信号を送信する工程Ｃと、
前記移動局が、前記拒絶信号を受信してから前記規制時間が経過するまで、前記特定通信用の第１コネクションを設定するように要求する第１コネクション設定要求信号及び前記第２コネクション設定要求信号の送信を規制する工程Ｄとを有することを特徴とする移動通信方法。
【請求項２】
前記工程Ａにおいて、前記移動局が、前記特定通信用の第１コネクションの設定処理を行い、該特定通信用の第１コネクションの設定処理において該無線アクセスネットワーク装置に対して送信する第１コネクション設定応答信号内で、前記第２コネクション設定要求信号を送信することを特徴とする請求項１に記載の移動通信方法。
【請求項３】
前記工程Ａにおいて、コアネットワーク内で前記特定通信用の第３コネクションが設定されている状態で、前記特定通信用の第１コネクションの設定処理を行うことを特徴とする請求項１又は２に記載の移動通信方法。
【請求項４】
前記工程Ａにおいて、前記コアネットワーク内で前記特定通信用の第３コネクションが設定されている状態で、前記移動局が、前記第１コネクション設定要求信号を含む位置登録要求信号を送信することによって、前記特定通信用の第１コネクションの設定処理を行い、
前記工程Ｄにおいて、前記移動局は、前記拒絶信号を受信してから前記規制時間が経過するまで、前記位置登録要求信号の送信を規制することを特徴とする請求項３に記載の移動通信方法。
【請求項５】
前記特定通信用の第１コネクションを切断する工程を更に有することを特徴とする請求項２乃至４のいずれか一項に記載の移動通信方法。
【請求項６】
前記工程Ｄにおいて、前記移動局は、緊急呼用の第１コネクションを設定するように要求する第１コネクション設定要求信号又は緊急呼用の第２コネクションを設定するように要求する第２コネクション設定要求信号を送信することができることを特徴とする請求項１に記載の移動通信方法。
【請求項７】
特定接続先との間の特定通信を行う移動局であって、
無線アクセスネットワーク装置との間で第１コネクションが設定されている状態で、交換局に対して、該交換局との間で前記特定通信用の第２コネクションを設定するように要求する第２コネクション設定要求信号を送信するように構成されている第２コネクション制御部と、
前記第２コネクション設定要求信号に対する拒絶信号を受信してから該拒絶信号に含まれている規制時間が経過するまで、前記特定通信用の第１コネクションを設定するように要求する第１コネクション設定要求信号及び該第２コネクション設定要求信号の送信を規制するように構成されている規制処理部とを具備することを特徴とする移動局。
【請求項８】
前記特定通信用の第１コネクションの設定処理を行うように構成されている第１コネクション制御部を具備し、
前記第２コネクション制御部は、前記特定通信用の第１コネクションの設定処理において前記無線アクセスネットワーク装置に対して送信する第１コネクション設定応答信号内で、前記第２コネクション設定要求信号を送信するように構成されていることを特徴とする請求項７に記載の移動局。
【請求項９】
前記第１コネクション制御部が、コアネットワーク内で前記特定通信用の第３コネクションが設定されている状態で、前記特定通信用の第１コネクションの設定処理を行うように構成されていることを特徴とする請求項８に記載の移動局。
【請求項１０】
前記第１コネクション制御部は、前記コアネットワーク内で前記特定通信用の第３コネクションが設定されている状態で、前記第１コネクション設定要求信号を含む位置登録要求信号を送信することによって、前記特定通信用の第１コネクションの設定処理を行うように構成されており、
前記規制処理部は、前記拒絶信号を受信してから前記規制時間が経過するまで、前記位置登録要求信号の送信を規制するように構成されていることを特徴とする請求項９に記載の移動局。
【請求項１１】
前記第２コネクション設定要求信号に対する拒絶信号を受信してから前記規制時間が経過するまでであっても、前記第１コネクション制御部は、緊急呼用の第１コネクションを設定するように要求する第１コネクション設定要求信号を送信することができ、前記第２コネクション制御部は、緊急呼用の第２コネクションを設定するように要求する第２コネクション設定要求信号を送信することができることを特徴とする請求項７に記載の移動局。
【請求項１２】
移動局と特定接続先との間の特定通信を行う移動通信方法で用いられる交換局であって、
前記移動局と無線アクセスネットワーク装置との間で第１コネクションが設定されている状態で、該移動局との間で前記特定通信用の第２コネクションを設定するように要求する第２コネクション設定要求信号を受信するように構成されている第２コネクション設定要求信号受信部と、
前記第２コネクション設定要求信号を受信した場合で、かつ、所定条件が満たされる場合、前記特定通信用の第２コネクションの設定を規制することを決定するように構成されている規制決定部と、
前記移動局に対して、前記特定通信用の第２コネクションの設定を規制する規制時間を含む拒絶信号を送信するように構成されている規制情報送信部とを具備することを特徴とする交換局。
【発明の詳細な説明】
【技術分野】
【０００１】
本発明は、移動通信方法、移動局及び交換局に関する。
【背景技術】
【０００２】
近年、移動通信システムにおいて、定額料金サービスの導入に伴い、移動通信ネットワークの輻輳がより頻発すると想定される。かかる場合、移動通信システムでは、無線リソースを保護するため、定額料金サービスの加入者やヘビーユーザの移動局からの発信を拒絶するように構成することも可能であるが、かかる移動局が、拒絶された後に、再発信を繰り返す懸念があった。
【０００３】
かかる懸念を解決するために、３ＧＰＰ方式の移動通信システムでは、コネクションの確立に失敗した移動局の発信を一時的に停止させる仕組みが規定されている。
【特許文献１】特開平９-９３５７号公報
【特許文献２】特開２００６-３４０２９４号公報
【発明の開示】
【発明が解決しようとする課題】
【０００４】
しかしながら、かかる仕組みは、特定移動局による全てのコネクションの確立を規制することしかできないという問題点があった。
【０００５】
そこで、本発明は、上述の課題に鑑みてなされたものであり、柔軟な発信規制を行うことができる移動通信方法、移動局及び交換局を提供することを目的とする。
【課題を解決するための手段】
【０００６】
本発明の第１の特徴は、移動局と特定接続先との間の特定通信を行う移動通信方法であって、前記移動局と無線アクセスネットワーク装置との間で第１コネクションが設定されている状態で、交換局に対して、該移動局と該交換局との間で前記特定通信用の第２コネクションを設定するように要求する第２コネクション設定要求信号を送信する工程Ａと、前記交換局が、前記第２コネクション設定要求信号を受信した場合で、かつ、所定条件が満たされる場合、前記特定通信用の第２コネクションの設定を規制することを決定する工程Ｂと、前記交換局が、前記移動局に対して、前記特定通信用の第２コネクションの設定を規制する規制時間を含む拒絶信号を送信する工程Ｃと、前記移動局が、前記拒絶信号を受信してから前記規制時間が経過するまで、前記特定通信用の第１コネクションを設定するように要求する第１コネクション設定要求信号及び前記第２コネクション設定要求信号の送信を規制する工程Ｄとを有することを要旨とする。
【０００７】
本発明の第２の特徴は、特定接続先との間の特定通信を行う移動局であって、無線アクセスネットワーク装置との間で第１コネクションが設定されている状態で、交換局に対して、該交換局との間で前記特定通信用の第２コネクションを設定するように要求する第２コネクション設定要求信号を送信するように構成されている第２コネクション制御部と、前記第２コネクション設定要求信号に対する拒絶信号を受信してから該拒絶信号に含まれている規制時間が経過するまで、前記特定通信用の第１コネクションを設定するように要求する第１コネクション設定要求信号及び該第２コネクション設定要求信号の送信を規制するように構成されている規制処理部とを具備することを要旨とする。
【０００８】
本発明の第３の特徴は、移動局と特定接続先との間の特定通信を行う移動通信方法で用いられる交換局であって、前記移動局と無線アクセスネットワーク装置との間で第１コネクションが設定されている状態で、該移動局との間で前記特定通信用の第２コネクションを設定するように要求する第２コネクション設定要求信号を受信するように構成されている受信部と、前記第２コネクション設定要求信号を受信した場合で、かつ、所定条件が満たされる場合、前記特定通信用の第２コネクションの設定を規制することを決定するように構成されている規制決定部と、前記移動局に対して、前記特定通信用の第２コネクションの設定を規制する規制時間を含む拒絶信号を送信するように構成されている規制情報送信部とを具備することを要旨とする。
【発明の効果】
【０００９】
以上説明したように、本発明によれば、柔軟な発信規制を行うことができる移動通信方法、移動局及び交換局を提供することができる。
【発明を実施するための最良の形態】
【００１０】
（本発明の第１の実施形態に係る移動通信システムの構成）
図１乃至図３を参照して、本発明の第１の実施形態に係る移動通信システムの構成について説明する。
【００１１】
図１に示すように、本実施形態に係る移動通信システムは、ＬＴＥ（Ｌｏｎｇ  Ｔｅｒｍ  Ｅｖｏｌｕｔｉｏｎ）方式の移動通信システムであって、第１ゲートウェイ装置Ｐ-ＧＷ（ＰＤＮ-Ｇａｔｅｗａｙ）と、第２ゲートウェイ装置Ｓ-ＧＷ（Ｓｅｒｖｉｎｇ-Ｇａｔｅｗａｙ）と、交換局ＭＭＥと、無線基地局ｅＮＢとを具備している。
【００１２】
図２に示すように、本実施形態に係る移動局ＵＥは、ＡＳ（Ａｃｃｅｓｓ  Ｓｔｒａｔｕｍ）処理部１００として、ＡＳコネクション（第１コネクション）制御部１１を具備し、ＮＡＳ（Ｎｏｎ  Ａｃｃｅｓｓ  Ｓｔｒａｔｕｍ）処理部２００として、規制処理部２１と、ＮＡＳコネクション（第２コネクション）制御部２２とを具備している。
【００１３】
ＡＳコネクション制御部１１は、移動局ＵＥと特定接続先ＡＰＮとの間の特定通信用のＡＳコネクションの設定処理を行うように構成されている。ここで、ＡＳコネクションは、移動局ＵＥと無線基地局ｅＮＢ（無線アクセスネットワーク装置）との間で確立されるコネクションである。
【００１４】
また、ＡＳコネクション制御部１１は、コアネットワーク内で特定通信用の第３コネクションが設定されている状態（Ｐｒｅｓｅｒｖａｔｉｏｎ状態）で、特定通信用のＡＳコネクションの設定処理を行うように構成されていてもよい。ここで、第３コネクションは、例えば、第１ゲートウェイ装置Ｐ-ＧＷと交換機ＭＭＥとの間で確立されているものとする。
【００１５】
ＮＡＳコネクション制御部２２は、移動局ＵＥと無線基地局ｅＮＢとの間で特定通信用のＡＳコネクションが設定されている状態で、交換局ＭＭＥに対して、交換局ＭＭＥとの間で特定通信用のＮＡＳコネクションを設定するように要求するＮＡＳコネクション設定要求信号（ＰＤＮ  Ｃｏｎｎｅｃｔｉｖｉｔｙ  Ｒｅｑｕｅｓｔ/Ｓｅｒｖｉｃｅ  Ｒｅｑｕｅｓｔ）を送信するように構成されている。
【００１６】
また、ＮＡＳコネクション制御部２２は、特定通信用のＡＳコネクションの設定処理において無線基地局ｅＮＢに対して送信するＡＳコネクション設定応答信号（ＲＲＣ  Ｃｏｎｎｅｃｔｉｏｎ  Ｓｅｔｕｐ  Ｃｏｍｐｌｅｔｅ）内で、ＮＡＳコネクション設定要求信号を送信するように構成されていてもよい。
【００１７】
規制処理部２３は、ＮＡＳコネクション設定要求信号に対する拒絶信号（ＰＤＮ  Ｃｏｎｎｅｃｔｉｖｉｔｙ  Ｒｅｊｅｃｔ/Ｓｅｒｖｉｃｅ  Ｒｅｊｅｃｔ）を受信してから当該拒絶信号に含まれている規制時間が経過するまで、特定通信用のＡＳコネクションを設定するように要求するＡＳコネクション設定要求信号（ＲＲＣ  Ｃｏｎｎｅｃｔｉｏｎ  Ｒｅｑｕｅｓｔ）及びＮＡＳコネクション設定要求信号の送信を規制するように構成されている。
【００１８】
ただし、ＮＡＳコネクション設定要求信号に対する拒絶信号を受信してから当該規制時間が経過するまでであっても、ＡＳコネクション制御部１１は、緊急呼用のＡＳコネクションを設定するように要求するＡＳコネクション設定要求信号を送信することができ、ＮＡＳコネクション制御部２２は、緊急呼用のＮＡＳコネクションを設定するように要求するＮＡＳコネクション設定要求信号を送信することができるものとする。
【００１９】
また、ＮＡＳコネクション設定要求信号に対する拒絶信号を受信してから当該規制時間が経過するまでであっても、ＡＳコネクション制御部１１は、特定接続先以外の接続先に対するＡＳコネクション設定要求信号やＮＡＳコネクション設定要求信号を送信することができるものとする。
【００２０】
図３に示すように、交換局ＭＭＥは、ＮＡＳコネクション設定要求信号受信部３１と、規制決定部３２と、規制情報送信部３３とを具備している。
【００２１】
ＮＡＳコネクション設定要求信号受信部３１は、移動局ＵＥと無線基地局ｅＮＢとの間で特定通信用のＡＳコネクションが設定されている状態で、移動局ＵＥとの間で特定通信用のＮＡＳコネクションを設定するように要求するＮＡＳコネクション設定要求信号を受信するように構成されている。
【００２２】
規制決定部３２は、ＮＡＳコネクション設定要求信号を受信した場合で、かつ、所定条件が満たされる場合、特定通信用のＮＡＳコネクションの設定を規制することを決定するように構成されている。
【００２３】
例えば、規制決定部３２は、特定の移動局による所定期間内のトラフィック量や発信回数が所定閾値を上回った場合等に、所定条件が満たされると判定するように構成されていてもよい。
【００２４】
また、規制決定部３２は、ユーザの契約内容や利用形態等に応じて、所定条件が満たされるか否かについて判定するように構成されていてもよい。
【００２５】
なお、規制決定部３２は、ＮＡＳコネクション設定要求信号に対する拒絶信号に、特定の「Ｃａｕｓｅ値」が含まれている場合にのみ、上述のように、ＡＳコネクション設定要求信号及びＮＡＳコネクション設定要求信号の送信を規制するように構成されていてもよい。
【００２６】
規制情報送信部３３は、移動局ＵＥに対して、特定通信用のＮＡＳコネクションの設定を規制する規制時間を含む拒絶信号を送信するように構成されている。
【００２７】
（本発明の第１の実施形態に係る移動通信システムの動作）
図４乃至図６を参照して、本発明の第１の実施形態に係る移動通信システムの動作について説明する。
【００２８】
第１に、図４を参照して、ＡＳコネクションが確立されていないケースにおける発信規制動作について説明する。
【００２９】
図４に示すように、ステップＳ１００１において、移動局ＵＥは、無線基地局ｅＮＢに対して、特定接続先ＡＰＮとの間の特定通信用のＡＳコネクションを確立するための「ＲＲＣ  Ｃｏｎｎｅｃｔｉｏｎ  Ｒｅｑｕｅｓｔ（ＡＳコネクション設定要求信号）」を送信する。
【００３０】
ステップＳ１００２において、無線基地局ｅＮＢは、移動局ＵＥに対して、「ＲＲＣ  Ｃｏｎｎｅｃｔｉｏｎ  Ｓｅｔｕｐ（ＡＳコネクション設定信号）」を送信する。
【００３１】
ステップＳ１００３において、移動局ＵＥは、無線基地局ｅＮＢに対して、「ＲＲＣ  Ｃｏｎｎｅｃｔｉｏｎ  Ｓｅｔｕｐ  Ｃｏｍｐｌｅｔｅ（ＡＳコネクション設定応答信号）」を送信する。かかる時点で、移動局ＵＥと無線基地局ｅＮＢとの間で、ＡＳコネクションが確立された状態になる。
【００３２】
ここで、移動局ＵＥは、「ＲＲＣ  Ｃｏｎｎｅｃｔｉｏｎ  Ｓｅｔｕｐ  Ｃｏｍｐｌｅｔｅ（ＡＳコネクション設定応答信号）」内で、特定接続先ＡＰＮとの間の特定通信用のＮＡＳコネクションを確立するための「ＰＤＮ  Ｃｏｎｎｅｃｔｉｖｉｔｙ  Ｒｅｑｕｅｓｔ（ＮＡＳコネクション設定要求信号）」を送信する。
【００３３】
ステップＳ１００４において、無線基地局ｅＮＢは、交換局ＭＭＥに対して、「ＰＤＮ  Ｃｏｎｎｅｃｔｉｖｉｔｙ  Ｒｅｑｕｅｓｔ（ＮＡＳコネクション設定要求信号）」を含む「Ｉｎｉｔｉａｌ  ＵＥ  Ｍｅｓｓａｇｅ」を送信する。
【００３４】
ステップＳ１００５において、交換局ＭＭＥは、ＮＡＳ機能において、所定条件が満たされていると判断し、移動局ＵＥにおける発信を規制することを決定する。
【００３５】
ステップＳ１００６において、交換局ＭＭＥは、無線基地局ｅＮＢに対して、「ＰＤＮ  Ｃｏｎｎｅｃｔｉｖｉｔｙ  Ｒｅｊｅｃｔ（拒絶信号）」を含む「Ｄｏｗｎｌｉｎｋ  ＮＡＳ  Ｔｒａｎｓｐｏｒｔ」を送信する。ここで、「ＰＤＮ  Ｃｏｎｎｅｃｔｉｖｉｔｙ  Ｒｅｊｅｃｔ（拒絶信号）」には、特定通信用のＮＡＳコネクションの設定を規制する規制時間が含まれているものとする。
【００３６】
ステップＳ１００７において、無線基地局ｅＮＢは、移動局ＵＥに対して、「ＰＤＮ  Ｃｏｎｎｅｃｔｉｖｉｔｙ  Ｒｅｊｅｃｔ（拒絶信号）」を含む「ＤＬ  Ｉｎｆｏｒｍａｔｉｏｎ  Ｔｒａｎｓｆｅｒ」を送信する。
【００３７】
ステップＳ１００８において、交換局ＭＭＥは、無線基地局ｅＮＢに対して、「ＵＥ  Ｃｏｎｔｅｘｔ  Ｒｅｌｅａｓｅ  Ｃｏｍｍａｎｄ」を送信する。
【００３８】
無線基地局ｅＮＢは、ステップＳ１００９において、移動局ＵＥに対して、「ＲＲＣ  Ｃｏｎｎｅｃｔｉｏｎ  Ｒｅｌｅａｓｅ（ＡＳコネクション解放要求信号）」を送信し、ステップＳ１０１０において、交換局ＭＭＥに対して、「ＵＥ  Ｃｏｎｔｅｘｔ  Ｒｅｌｅａｓｅ  Ｃｏｍｐｌｅｔｅ」を送信する。かかる時点で、移動局ＵＥと無線基地局ｅＮＢとの間で、ＡＳコネクションが切断された状態になる。
【００３９】
ステップＳ１０１１において、移動局ＵＥは、「ＰＤＮ  Ｃｏｎｎｅｃｔｉｖｉｔｙ  Ｒｅｊｅｃｔ（拒絶信号）」を受信してから、上述の規制時間が満了するまでの期間中、上述の特定接続先に対する発信を規制する。
【００４０】
具体的には、移動局ＵＥは、かかる期間中、「ＲＲＣ  Ｃｏｎｎｅｃｔｉｏｎ  Ｒｅｑｕｅｓｔ（ＡＳコネクション設定要求信号）」の送信（ＡＳコネクションが確立されていない場合）、及び、「ＰＤＮ  Ｃｏｎｎｅｃｔｉｖｉｔｙ  Ｒｅｑｕｅｓｔ（ＮＡＳコネクション設定要求信号）」の送信（移動局ＵＥと特定接続先ＡＰＮ以外の接続先との間の通信用のＡＳコネクションが確立されている場合）を規制する。
【００４１】
第２に、図５を参照して、ＡＳコネクションが確立されているケースにおける発信規制動作について説明する。
【００４２】
図５に示すように、ステップＳ２００１において、移動局ＵＥは、無線基地局ｅＮＢに対して、特定接続先ＡＰＮとの間の特定通信用のＮＡＳコネクションを確立するための「ＰＤＮ  Ｃｏｎｎｅｃｔｉｖｉｔｙ  Ｒｅｑｕｅｓｔ（ＮＡＳコネクション設定要求信号）」を含む「ＵＬ  Ｉｎｆｏｒｍａｔｉｏｎ  Ｔｒａｎｓｆｅｒ」を送信する。
【００４３】
ステップＳ２００２において、無線基地局ｅＮＢは、交換局ＭＭＥに対して、「ＰＤＮ  Ｃｏｎｎｅｃｔｉｖｉｔｙ  Ｒｅｑｕｅｓｔ（ＮＡＳコネクション設定要求信号）」を含む「Ｕｐｌｉｎｋ  ＮＡＳ  Ｔｒａｎｓｐｏｒｔ」を送信する。
【００４４】
ステップＳ２００３において、交換局ＭＭＥは、ＮＡＳ機能において、所定条件が満たされていると判断し、移動局ＵＥにおける発信を規制することを決定する。
【００４５】
ステップＳ２００４において、交換局ＭＭＥは、無線基地局ｅＮＢに対して、「ＰＤＮ  Ｃｏｎｎｅｃｔｉｖｉｔｙ  Ｒｅｊｅｃｔ（拒絶信号）」を含む「Ｄｏｗｎｌｉｎｋ  ＮＡＳ  Ｔｒａｎｓｐｏｒｔ」を送信する。ここで、「ＰＤＮ  Ｃｏｎｎｅｃｔｉｖｉｔｙ  Ｒｅｊｅｃｔ（拒絶信号）」には、特定通信用のＮＡＳコネクションの設定を規制する規制時間が含まれているものとする。
【００４６】
ステップＳ２００５において、無線基地局ｅＮＢは、移動局ＵＥに対して、「ＰＤＮ  Ｃｏｎｎｅｃｔｉｖｉｔｙ  Ｒｅｊｅｃｔ（拒絶信号）」を含む「ＤＬ  Ｉｎｆｏｒｍａｔｉｏｎ  Ｔｒａｎｓｆｅｒ」を送信する。
【００４７】
ステップＳ２００６において、移動局ＵＥは、「ＰＤＮ  Ｃｏｎｎｅｃｔｉｖｉｔｙ  Ｒｅｊｅｃｔ（拒絶信号）」を受信してから、上述の規制時間が満了するまでの期間中、上述の特定接続先に対する発信を規制する。
【００４８】
具体的には、移動局ＵＥは、かかる期間中、「ＲＲＣ  Ｃｏｎｎｅｃｔｉｏｎ  Ｒｅｑｕｅｓｔ（ＡＳコネクション設定要求信号）」の送信（何らかの要因で、上述のＡＳコネクションが切断された場合）、及び、「ＰＤＮ  Ｃｏｎｎｅｃｔｉｖｉｔｙ  Ｒｅｑｕｅｓｔ（ＮＡＳコネクション設定要求信号）」の送信（上述のＡＳコネクションが確立されている場合）を規制する。
【００４９】
第３に、図６を参照して、Ｐｒｅｓｅｒｖａｔｉｏｎ状態から復帰するケースにおける発信規制動作について説明する。
【００５０】
図６に示すように、ステップＳ３００１において、移動局ＵＥは、無線基地局ｅＮＢに対して、特定接続先ＡＰＮとの間の特定通信用のＡＳコネクションを確立するための「ＲＲＣ  Ｃｏｎｎｅｃｔｉｏｎ  Ｒｅｑｕｅｓｔ（ＡＳコネクション設定要求信号）」を送信する。
【００５１】
ステップＳ３００２において、無線基地局ｅＮＢは、移動局ＵＥに対して、「ＲＲＣ  Ｃｏｎｎｅｃｔｉｏｎ  Ｓｅｔｕｐ（ＡＳコネクション設定信号）」を送信する。
【００５２】
ステップＳ３００３において、移動局ＵＥは、無線基地局ｅＮＢに対して、「ＲＲＣ  Ｃｏｎｎｅｃｔｉｏｎ  Ｓｅｔｕｐ  Ｃｏｍｐｌｅｔｅ（ＡＳコネクション設定応答信号）」を送信する。かかる時点で、移動局ＵＥと無線基地局ｅＮＢとの間で、ＡＳコネクションが確立された状態になる。
【００５３】
ここで、移動局ＵＥは、「ＲＲＣ  Ｃｏｎｎｅｃｔｉｏｎ  Ｓｅｔｕｐ  Ｃｏｍｐｌｅｔｅ（ＡＳコネクション設定応答信号）」内で、特定接続先ＡＰＮとの間の特定通信用のＮＡＳコネクションを確立するための「Ｓｅｒｖｉｃｅ  Ｒｅｑｕｅｓｔ（ＮＡＳコネクション設定要求信号）」を送信する。
【００５４】
ステップＳ３００４において、無線基地局ｅＮＢは、交換局ＭＭＥに対して、「Ｓｅｒｖｉｃｅ  Ｒｅｑｕｅｓｔ（ＮＡＳコネクション設定要求信号）」を含む「Ｉｎｉｔｉａｌ  ＵＥ  Ｍｅｓｓａｇｅ」を送信する。
【００５５】
ステップＳ３００５において、交換局ＭＭＥは、ＮＡＳ機能において、所定条件が満たされていると判断し、移動局ＵＥにおける発信を規制することを決定する。
【００５６】
ステップＳ３００６において、交換局ＭＭＥは、無線基地局ｅＮＢに対して、「Ｓｅｒｖｉｃｅ  Ｒｅｊｅｃｔ（拒絶信号）」を含む「Ｄｏｗｎｌｉｎｋ  ＮＡＳ  Ｔｒａｎｓｐｏｒｔ」を送信する。ここで、「Ｓｅｒｖｉｃｅ  Ｒｅｊｅｃｔ（拒絶信号）」には、特定通信用のＮＡＳコネクションの設定を規制する規制時間が含まれているものとする。
【００５７】
ステップＳ３００７において、無線基地局ｅＮＢは、移動局ＵＥに対して、「Ｓｅｒｖｉｃｅ  Ｒｅｊｅｃｔ（拒絶信号）」を含む「ＤＬ  Ｉｎｆｏｒｍａｔｉｏｎ  Ｔｒａｎｓｆｅｒ」を送信する。
【００５８】
ステップＳ３００８において、交換局ＭＭＥは、無線基地局ｅＮＢに対して、「ＵＥ  Ｃｏｎｔｅｘｔ  Ｒｅｌｅａｓｅ  Ｃｏｍｍａｎｄ」を送信する。
【００５９】
無線基地局ｅＮＢは、ステップＳ３００９において、移動局ＵＥに対して、「ＲＲＣ  Ｃｏｎｎｅｃｔｉｏｎ  Ｒｅｌｅａｓｅ（ＡＳコネクション解放要求信号）」を送信し、ステップＳ３０１０において、交換局ＭＭＥに対して、「ＵＥ  Ｃｏｎｔｅｘｔ  Ｒｅｌｅａｓｅ  Ｃｏｍｐｌｅｔｅ」を送信する。かかる時点で、移動局ＵＥと無線基地局ｅＮＢとの間で、ＡＳコネクションが切断された状態になる。
【００６０】
ステップＳ３０１１において、移動局ＵＥは、「Ｓｅｒｖｉｃｅ  Ｒｅｊｅｃｔ（拒絶信号）」を受信してから、上述の規制時間が満了するまでの期間中、上述の特定接続先に対する発信を規制する。
【００６１】
具体的には、移動局ＵＥは、かかる期間中、Ｐｒｅｓｅｒｖａｔｉｏｎ状態からの復帰、すなわち、「ＲＲＣ  Ｃｏｎｎｅｃｔｉｏｎ  Ｒｅｑｕｅｓｔ（ＡＳコネクション設定要求信号）」の送信（ＡＳコネクションが確立されていない場合）、及び、「Ｓｅｒｖｉｃｅ  Ｒｅｑｕｅｓｔ（ＮＡＳコネクション設定要求信号）」の送信（移動局ＵＥと特定接続先ＡＰＮ以外の接続先との間の通信用のＡＳコネクションが確立されている場合）を規制する。
【００６２】
また、ステップＳ３００１乃至Ｓ３００４の代わりに、移動局ＵＥは、交換局ＭＭＥに対して、ＡＳコネクション設定要求信号を含む位置登録要求信号「Ｔｒａｃｋｉｎｇ  Ａｒｅａ  Ｕｐｄａｔｅ  Ｒｅｑｕｅｓｔ  ｗｉｔｈ  Ａｃｔｉｖｅ  Ｆｌａｇ」を送信してもよい。
【００６３】
かかる場合、ステップＳ３００６及びＳ３００７における「Ｓｅｒｖｉｃｅ  Ｒｅｑｕｅｓｔ」は、「Ｔｒａｃｋｉｎｇ  Ａｒｅａ  Ｕｐｄａｔｅ  Ｒｅｊｅｃｔ」となり、ステップＳ３０１１において、移動局ＵＥは、上述の規制時間だけ、「Ｔｒａｃｋｉｎｇ  Ａｒｅａ  Ｕｐｄａｔｅ」の送信を規制してもよい。
【００６４】
（本発明の第１の実施形態に係る移動通信システムの作用・効果）
本発明の第１の実施形態に係る移動通信システムによれば、特定接続先ＡＰＮ宛ての特定通信についてのみ、移動局ＵＥの発信を規制することができる。
【００６５】
（変更例１）
図７乃至図１０を参照して、本発明の変更例１について説明する。以下、本発明の変更例１について、上述の第１の実施形態との相違点に着目して説明する。
【００６６】
図７に示すように、本発明の変更例１に係る移動通信システムは、ＷＣＤＭＡ方式の移動通信システムであって、第１ゲートウェイ装置Ｐ-ＧＷと、第２ゲートウェイ装置Ｓ-ＧＷと、交換局ＳＧＳＮと、無線制御装置ＲＮＣと、無線基地局ＮｏｄｅＢとを具備している。
【００６７】
図８乃至図１０を参照して、本発明の変更例１に係る移動通信システムの動作について説明する。
【００６８】
第１に、図８を参照して、ＡＳコネクションが確立されていないケースにおける発信規制動作について説明する。
【００６９】
図８に示すように、ステップＳ４００１において、移動局ＵＥは、無線制御装置ＲＮＣ（無線アクセスネットワーク装置）に対して、特定接続先ＡＰＮとの間の特定通信用のＡＳコネクションを確立するための「ＲＲＣ  Ｃｏｎｎｅｃｔｉｏｎ  Ｒｅｑｕｅｓｔ（ＡＳコネクション設定要求信号）」を送信する。
【００７０】
ステップＳ４００２において、無線制御装置ＲＮＣは、無線基地局ＮｏｄｅＢに対して、「Ｒａｄｉｏ  Ｌｉｎｋ  Ｓｅｔｕｐ  Ｒｅｑｕｅｓｔ」を送信し、ステップＳ４００３において、無線基地局ＮｏｄｅＢは、無線制御装置ＲＮＣに対して、「Ｒａｄｉｏ  Ｌｉｎｋ  Ｓｅｔｕｐ  Ｒｅｓｐｏｎｓｅ」を送信する。
【００７１】
ステップＳ４００４において、無線制御装置ＲＮＣは、移動局ＵＥに対して、「ＲＲＣ  Ｃｏｎｎｅｃｔｉｏｎ  Ｓｅｔｕｐ（ＡＳコネクション設定信号）」を送信する。
【００７２】
ステップＳ４００５において、移動局ＵＥは、無線制御装置ＲＮＣに対して、「ＲＲＣ  Ｃｏｎｎｅｃｔｉｏｎ  Ｓｅｔｕｐ  Ｃｏｍｐｌｅｔｅ（ＡＳコネクション設定応答信号）」を送信する。かかる時点で、移動局ＵＥと無線制御装置ＲＮＣとの間で、ＡＳコネクションが確立された状態になる。
【００７３】
ステップＳ４００６において、移動局ＵＥは、無線制御装置ＲＮＣに対して、「Ｓｅｒｖｉｃｅ  Ｒｅｑｕｅｓｔ」を含む「Ｉｎｉｔｉａｌ  Ｄｉｒｅｃｔ  Ｔｒａｎｓｆｅｒ」を送信し、ステップＳ４００７において、無線制御装置ＲＮＣは、交換局ＳＧＳＮに対して、「Ｓｅｒｖｉｃｅ  Ｒｅｑｕｅｓｔ」を含む「Ｉｎｉｔｉａｌ  ＵＥ  Ｍｅｓｓａｇｅ」を送信し、ステップＳ４００８において、移動局ＵＥと交換局ＳＧＳＮとの間で、認証・秘匿手順が行われる。
【００７４】
ステップＳ４００９において、移動局ＵＥは、無線制御装置ＲＮＣに対して、特定接続先ＡＰＮとの間の特定通信用のＮＡＳコネクションを確立するための「Ａｃｔｉｖａｔｅ  ＰＤＰ  Ｃｏｎｔｅｘｔ  Ｒｅｑｕｅｓｔ（ＮＡＳコネクション設定要求信号）」を含む「Ｕｐｌｉｎｋ  Ｄｉｒｅｃｔ  Ｔｒａｎｓｆｅｒ」を送信する。
【００７５】
ステップＳ４０１０において、無線制御装置ＲＮＣは、交換局ＳＧＳＮに対して、「Ａｃｔｉｖａｔｅ  ＰＤＰ  Ｃｏｎｔｅｘｔ  Ｒｅｑｕｅｓｔ（ＮＡＳコネクション設定要求信号）」を含む「Ｄｉｒｅｃｔ  Ｔｒａｎｓｆｅｒ」を送信する。
【００７６】
ステップＳ４０１１において、交換局ＳＧＳＮは、ＮＡＳ機能において、所定条件が満たされていると判断し、移動局ＵＥにおける発信を規制することを決定する。
【００７７】
ステップＳ４０１２において、交換局ＳＧＳＮは、無線制御装置ＲＮＣに対して、「Ａｃｔｉｖａｔｅ  ＰＤＰ  Ｃｏｎｔｅｘｔ  Ｒｅｊｅｃｔ（拒絶信号）」を含む「Ｄｉｒｅｃｔ  Ｔｒａｎｓｆｅｒ」を送信する。ここで、「Ａｃｔｉｖａｔｅ  ＰＤＰ  Ｃｏｎｔｅｘｔ  Ｒｅｊｅｃｔ（拒絶信号）」には、特定通信用のＮＡＳコネクションの設定を規制する規制時間が含まれているものとする。
【００７８】
ステップＳ４０１３において、無線制御装置ＲＮＣは、移動局ＵＥに対して、「Ａｃｔｉｖａｔｅ  ＰＤＰ  Ｃｏｎｔｅｘｔ  Ｒｅｊｅｃｔ（拒絶信号）」を含む「Ｄｏｗｎｌｉｎｋ  Ｄｉｒｅｃｔ  Ｔｒａｎｓｆｅｒ」を送信する。
【００７９】
ステップＳ４０１４において、交換局ＳＧＳＮは、無線制御装置ＲＮＣに対して、「Ｉｕ  Ｒｅｌｅａｓｅ  Ｃｏｍｍａｎｄ」を送信する。
【００８０】
無線制御装置ＲＮＣは、ステップＳ４０１５において、移動局ＵＥに対して、「ＲＲＣ  Ｃｏｎｎｅｃｔｉｏｎ  Ｒｅｌｅａｓｅ（ＡＳコネクション解放要求信号）」を送信し、ステップＳ４０１６において、移動局ＵＥから、「ＲＲＣ  Ｃｏｎｎｅｃｔｉｏｎ  Ｒｅｌｅａｓｅ  Ｃｏｍｐｌｅｔｅ」を受信する。
【００８１】
また、無線制御装置ＲＮＣは、ステップＳ４０１７において、無線基地局ＮｏｄｅＢに対して、「Ｒａｄｉｏ  Ｌｉｎｋ  Ｄｅｌｅｔｉｏｎ  Ｒｅｑｕｅｓｔ」を送信し、ステップＳ４０１８において、移動局ＵＥから、「Ｒａｄｉｏ  Ｌｉｎｋ  Ｄｅｌｅｔｉｏｎ  Ｒｅｓｐｏｎｓｅ」を受信する。
【００８２】
ステップＳ４０１９において、無線制御装置ＲＮＣは、交換局ＳＧＳＮに対して、「Ｉｕ  Ｒｅｌｅａｓｅ  Ｃｏｍｐｌｅｔｅ」を送信する。かかる時点で、移動局ＵＥと無線制御装置ＲＮＣとの間で、ＡＳコネクションが切断された状態になる。
【００８３】
ステップＳ４０２０において、移動局ＵＥは、「Ａｃｔｉｖａｔｅ  ＰＤＰ  Ｃｏｎｔｅｘｔ  Ｒｅｊｅｃｔ（拒絶信号）」を受信してから、上述の規制時間が満了するまでの期間中、上述の特定接続先に対する発信を規制する。
【００８４】
具体的には、移動局ＵＥは、かかる期間中、「ＲＲＣ  Ｃｏｎｎｅｃｔｉｏｎ  Ｒｅｑｕｅｓｔ（ＡＳコネクション設定要求信号）」の送信（ＡＳコネクションが確立されていない場合）、及び、「Ａｃｔｉｖａｔｅ  ＰＤＰ  Ｃｏｎｔｅｘｔ  Ｒｅｑｕｅｓｔ（ＮＡＳコネクション設定要求信号）」の送信（移動局ＵＥと特定接続先ＡＰＮ以外の接続先との間の通信用のＡＳコネクションが確立されている場合）を規制する。
【００８５】
第２に、図９を参照して、ＡＳコネクションが確立されているケースにおける発信規制動作について説明する。
【００８６】
図９に示すように、ステップＳ５００１において、移動局ＵＥは、無線制御装置ＲＮＣに対して、特定接続先ＡＰＮとの間の特定通信用のＮＡＳコネクションを確立するための「Ａｃｔｉｖａｔｅ  ＰＤＰ  Ｃｏｎｔｅｘｔ  Ｒｅｑｕｅｓｔ（ＮＡＳコネクション設定要求信号）」を含む「Ｕｐｌｉｎｋ  Ｄｉｒｅｃｔ  Ｔｒａｎｓｆｅｒ」を送信する。
【００８７】
ステップＳ５００２において、無線制御装置ＲＮＣは、交換局ＳＧＳＮに対して、「Ａｃｔｉｖａｔｅ  ＰＤＰ  Ｃｏｎｔｅｘｔ  Ｒｅｑｕｅｓｔ（ＮＡＳコネクション設定要求信号）」を含む「Ｄｉｒｅｃｔ  Ｔｒａｎｓｆｅｒ」を送信する。
【００８８】
ステップＳ５００３において、交換局ＳＧＳＮは、ＮＡＳ機能において、所定条件が満たされていると判断し、移動局ＵＥにおける発信を規制することを決定する。
【００８９】
ステップＳ５００４において、交換局ＳＧＳＮは、無線制御装置ＲＮＣに対して、「Ａｃｔｉｖａｔｅ  ＰＤＰ  Ｃｏｎｔｅｘｔ  Ｒｅｊｅｃｔ（拒絶信号）」を含む「Ｄｉｒｅｃｔ  Ｔｒａｎｓｆｅｒ」を送信する。ここで、「Ａｃｔｉｖａｔｅ  ＰＤＰ  Ｃｏｎｔｅｘｔ  Ｒｅｊｅｃｔ（拒絶信号）」には、特定通信用のＮＡＳコネクションの設定を規制する規制時間が含まれているものとする。
【００９０】
ステップＳ５００５において、無線制御装置ＲＮＣは、移動局ＵＥに対して、「Ａｃｔｉｖａｔｅ  ＰＤＰ  Ｃｏｎｔｅｘｔ  Ｒｅｊｅｃｔ（拒絶信号）」を含む「Ｄｏｗｎｌｉｎｋ  Ｄｉｒｅｃｔ  Ｔｒａｎｓｆｅｒ」を送信する。
【００９１】
ステップＳ５００６において、移動局ＵＥは、「Ａｃｔｉｖａｔｅ  ＰＤＰ  Ｃｏｎｔｅｘｔ  Ｒｅｊｅｃｔ（拒絶信号）」を受信してから、上述の規制時間が満了するまでの期間中、上述の特定接続先に対する発信を規制する。
【００９２】
具体的には、移動局ＵＥは、かかる期間中、「ＲＲＣ  Ｃｏｎｎｅｃｔｉｏｎ  Ｒｅｑｕｅｓｔ（ＡＳコネクション設定要求信号）」の送信（何らかの要因で、上述のＡＳコネクションが切断された場合）、及び、「Ａｃｔｉｖａｔｅ  ＰＤＰ  Ｃｏｎｔｅｘｔ  Ｒｅｑｕｅｓｔ（ＮＡＳコネクション設定要求信号）」の送信（上述のＡＳコネクションが確立されている場合）を規制する。
【００９３】
第３に、図１０を参照して、Ｐｒｅｓｅｒｖａｔｉｏｎ状態から復帰するケースにおける発信規制動作について説明する。
【００９４】
図１０に示すように、ステップＳ６００１において、移動局ＵＥは、無線制御装置ＲＮＣに対して、特定接続先ＡＰＮとの間の特定通信用のＡＳコネクションを確立するための「ＲＲＣ  Ｃｏｎｎｅｃｔｉｏｎ  Ｒｅｑｕｅｓｔ（ＡＳコネクション設定要求信号）」を送信する。
【００９５】
ステップＳ６００２において、無線制御装置ＲＮＣは、無線基地局ＮｏｄｅＢに対して、「Ｒａｄｉｏ  Ｌｉｎｋ  Ｓｅｔｕｐ  Ｒｅｑｕｅｓｔ」を送信し、ステップＳ６００３において、無線基地局ＮｏｄｅＢは、無線制御装置ＲＮＣに対して、「Ｒａｄｉｏ  Ｌｉｎｋ  Ｓｅｔｕｐ  Ｒｅｓｐｏｎｓｅ」を送信する。
【００９６】
ステップＳ６００４において、無線制御装置ＲＮＣは、移動局ＵＥに対して、「ＲＲＣ  Ｃｏｎｎｅｃｔｉｏｎ  Ｓｅｔｕｐ（ＡＳコネクション設定信号）」を送信する。
【００９７】
ステップＳ６００５において、移動局ＵＥは、無線制御装置ＲＮＣに対して、「ＲＲＣ  Ｃｏｎｎｅｃｔｉｏｎ  Ｓｅｔｕｐ  Ｃｏｍｐｌｅｔｅ（ＡＳコネクション設定応答信号）」を送信する。かかる時点で、移動局ＵＥと無線制御装置ＲＮＣとの間で、ＡＳコネクションが確立された状態になる。
【００９８】
ステップＳ６００６において、移動局ＵＥは、無線制御装置ＲＮＣに対して、「Ｓｅｒｖｉｃｅ  Ｒｅｑｕｅｓｔ」を含む「Ｉｎｉｔｉａｌ  Ｄｉｒｅｃｔ  Ｔｒａｎｓｆｅｒ」を送信し、ステップＳ６００７において、無線制御装置ＲＮＣは、交換局ＳＧＳＮに対して、「Ｓｅｒｖｉｃｅ  Ｒｅｑｕｅｓｔ」を含む「Ｉｎｉｔｉａｌ  ＵＥ  Ｍｅｓｓａｇｅ」を送信する。
【００９９】
ステップＳ６００８において、交換局ＳＧＳＮは、ＮＡＳ機能において、所定条件が満たされていると判断し、移動局ＵＥにおける発信を規制することを決定する。
【０１００】
ステップＳ６００９において、交換局ＳＧＳＮは、無線制御装置ＲＮＣに対して、「Ｓｅｒｖｉｃｅ  Ｒｅｊｅｃｔ（拒絶信号）」を含む「Ｄｉｒｅｃｔ  Ｔｒａｎｓｆｅｒ」を送信する。ここで、「Ｓｅｒｖｉｃｅ  Ｒｅｊｅｃｔ（拒絶信号）」には、特定通信用のＮＡＳコネクションの設定を規制する規制時間が含まれているものとする。
【０１０１】
ステップＳ６０１０において、無線制御装置ＲＮＣは、移動局ＵＥに対して、「Ｓｅｒｖｉｃｅ  Ｒｅｊｅｃｔ（拒絶信号）」を含む「Ｄｏｗｎｌｉｎｋ  Ｄｉｒｅｃｔ  Ｔｒａｎｓｆｅｒ」を送信する。
【０１０２】
ステップＳ６０１１において、交換局ＳＧＳＮは、無線制御装置ＲＮＣに対して、「Ｉｕ  Ｒｅｌｅａｓｅ  Ｃｏｍｍａｎｄ」を送信する。
【０１０３】
無線制御装置ＲＮＣは、ステップＳ６０１２において、移動局ＵＥに対して、「ＲＲＣ  Ｃｏｎｎｅｃｔｉｏｎ  Ｒｅｌｅａｓｅ（ＡＳコネクション解放要求信号）」を送信し、ステップＳ６０１３において、移動局ＵＥから、「ＲＲＣ  Ｃｏｎｎｅｃｔｉｏｎ  Ｒｅｌｅａｓｅ  Ｃｏｍｐｌｅｔｅ」を受信する。
【０１０４】
また、無線制御装置ＲＮＣは、ステップＳ６０１４において、無線基地局ＮｏｄｅＢに対して、「Ｒａｄｉｏ  Ｌｉｎｋ  Ｄｅｌｅｔｉｏｎ  Ｒｅｑｕｅｓｔ」を送信し、ステップＳ６０１５において、移動局ＵＥから、「Ｒａｄｉｏ  Ｌｉｎｋ  Ｄｅｌｅｔｉｏｎ  Ｒｅｓｐｏｎｓｅ」を受信する。
【０１０５】
ステップＳ６０１６において、無線制御装置ＲＮＣは、交換局ＳＧＳＮに対して、「Ｉｕ  Ｒｅｌｅａｓｅ  Ｃｏｍｐｌｅｔｅ」を送信する。かかる時点で、移動局ＵＥと無線制御装置ＲＮＣとの間で、ＡＳコネクションが切断された状態になる。
【０１０６】
ステップＳ６０１７において、移動局ＵＥは、「Ｓｅｒｖｉｃｅ  Ｒｅｊｅｃｔ（拒絶信号）」を受信してから、上述の規制時間が満了するまでの期間中、上述の特定接続先に対する発信を規制する。
【０１０７】
具体的には、移動局ＵＥは、かかる期間中、Ｐｒｅｓｅｒｖａｔｉｏｎ状態からの復帰、すなわち、「ＲＲＣ  Ｃｏｎｎｅｃｔｉｏｎ  Ｒｅｑｕｅｓｔ（ＡＳコネクション設定要求信号）」の送信（ＡＳコネクションが確立されていない場合）、及び、「Ｓｅｒｖｉｃｅ  Ｒｅｑｕｅｓｔ（ＮＡＳコネクション設定要求信号）」の送信（移動局ＵＥと特定接続先ＡＰＮ以外の接続先との間の通信用のＡＳコネクションが確立されている場合）を規制する。
【０１０８】
以上に述べた本実施形態の特徴は、以下のように表現されていてもよい。
【０１０９】
本実施形態の第１の特徴は、移動局ＵＥと特定接続先ＡＰＮとの間の特定通信を行う移動通信方法であって、移動局ＵＥと無線アクセスネットワーク装置（無線基地局ｅＮＢ及び無線制御装置ＲＮＣ）との間でＡＳコネクション（第１コネクション）が設定されている状態で、交換局ＭＭＥ/ＳＧＳＮに対して、移動局ＵＥと交換局ＭＭＥ/ＳＧＳＮとの間で特定通信用のＮＡＳコネクション（第２コネクション）を設定するように要求するＮＡＳコネクション設定要求信号（Ａｃｔｉｖａｔｅ  ＰＤＰ  Ｃｏｎｔｅｘｔ  Ｒｅｑｕｅｓｔ/ＰＤＮ  Ｃｏｎｎｅｃｔｉｖｉｔｙ  Ｒｅｑｕｅｓｔ/Ｓｅｒｖｉｃｅ  Ｒｅｑｕｅｓｔ）を送信する工程Ａと、交換局ＭＭＥ/ＳＧＳＮが、ＮＡＳコネクション設定要求信号を受信した場合で、かつ、所定条件が満たされる場合、特定通信用のＮＡＳコネクションの設定を規制することを決定する工程Ｂと、交換局ＭＭＥ/ＳＧＳＮが、移動局ＵＥに対して、特定通信用のＮＡＳコネクションの設定を規制する規制時間を含む拒絶信号（Ａｃｔｉｖａｔｅ  ＰＤＰ  Ｃｏｎｔｅｘｔ  Ｒｅｊｅｃｔ/ＰＤＮ  Ｃｏｎｎｅｃｔｉｖｉｔｙ  Ｒｅｊｅｃｔ/Ｓｅｒｖｉｃｅ  Ｒｅｊｅｃｔ）を送信する工程Ｃと、移動局ＵＥが、拒絶信号を受信してから規制時間が経過するまで、特定通信用のＡＳコネクションを設定するように要求するＡＳコネクション設定要求信号（ＲＲＣ  Ｃｏｎｎｅｃｔｉｏｎ  Ｒｅｑｕｅｓｔ）及びＮＡＳコネクション設定要求信号の送信を規制する工程Ｄとを有することを要旨とする。
【０１１０】
本実施形態の第１の特徴において、工程Ａにおいて、移動局ＵＥは、特定通信用のＡＳコネクションの設定処理を行い、特定通信用のＡＳコネクションの設定処理において無線アクセスネットワーク装置に対して送信するＡＳコネクション設定応答信号（ＲＲＣ  Ｃｏｎｎｅｃｔｉｏｎ  Ｓｅｔｕｐ  Ｒｅｑｕｅｓｔ）内で、ＮＡＳコネクション設定要求信号（ＰＤＮ  Ｃｏｎｎｅｃｔｉｖｉｔｙ  Ｒｅｑｕｅｓｔ/Ｓｅｒｖｉｃｅ  Ｒｅｑｕｅｓｔ）を送信してもよい。
【０１１１】
本実施形態の第１の特徴において、工程Ａにおいて、コアネットワーク内で特定通信用の第３コネクションが設定されている状態（Ｐｒｅｓｅｒｖａｔｉｏｎ状態）で、特定通信用のＡＳコネクションの設定処理を行ってもよい。
【０１１２】
本実施形態の第１の特徴において、工程Ａにおいて、コアネットワーク内で特定通信用の第３コネクションが設定されている状態（Ｐｒｅｓｅｒｖａｔｉｏｎ状態）で、移動局ＵＥが、ＡＳコネクション設定要求信号を含む位置登録要求信号（Ｔｒａｃｋｉｎｇ  Ａｒｅａ  Ｕｐｄａｔｅ  Ｒｅｑｕｅｓｔ  ｗｉｔｈ  Ａｃｔｉｖｅ  Ｆｌａｇ）を送信することによって、特定通信用のＡＳコネクションの設定処理を行い、工程Ｄにおいて、移動局ＵＥは、拒絶信号（Ｔｒａｃｋｉｎｇ  Ａｒｅａ  Ｕｐｄａｔｅ  Ｒｅｊｅｃｔ）を受信してから規制時間が経過するまで、位置登録要求信号の送信を規制してもよい。
【０１１３】
本実施形態の第１の特徴において、特定通信用のＡＳコネクションを切断する工程を更に有してもよい。
【０１１４】
本実施形態の第１の特徴において、工程Ｄにおいて、移動局ＵＥは、緊急呼用のＡＳコネクションを設定するように要求するＡＳコネクション設定要求信号又は緊急呼用のＮＡＳコネクションを設定するように要求するＮＡＳコネクション設定要求信号を送信することができてもよい。
【０１１５】
本実施形態の第２の特徴は、特定接続先ＡＰＮとの間の特定通信を行う移動局ＵＥであって、無線アクセスネットワーク装置との間でＡＳコネクションが設定されている状態で、交換局ＭＭＥ/ＳＧＳＮに対して、交換局ＭＭＥ/ＳＧＳＮとの間で特定通信用のＮＡＳコネクションを設定するように要求するＮＡＳコネクション設定要求信号を送信するように構成されているＮＡＳコネクション制御部２２と、ＮＡＳコネクション設定要求信号に対する拒絶信号を受信してから拒絶信号に含まれている規制時間が経過するまで、特定通信用のＡＳコネクションを設定するように要求するＡＳコネクション設定要求信号及びＮＡＳコネクション設定要求信号の送信を規制するように構成されている規制処理部２１とを具備することを要旨とする。
【０１１６】
本実施形態の第２の特徴において、特定通信用のＡＳコネクションの設定処理を行うように構成されているＡＳコネクション制御部１１を具備し、ＮＡＳコネクション制御部２２は、特定通信用のＡＳコネクションの設定処理において無線アクセスネットワーク装置に対して送信するＡＳコネクション設定応答信号内で、ＮＡＳコネクション設定要求信号を送信するように構成されていてもよい。
【０１１７】
本実施形態の第２の特徴において、ＡＳコネクション制御部１１は、コアネットワーク内で特定通信用の第３コネクションが設定されている状態で、特定通信用のＡＳコネクションの設定処理を行うように構成されていてもよい。
【０１１８】
本実施形態の第２の特徴において、ＡＳコネクション制御部１１は、コアネットワーク内で特定通信用の第３コネクションが設定されている状態で、ＡＳコネクション設定要求信号を含む位置登録要求信号を送信することによって、特定通信用のＡＳコネクションの設定処理を行うように構成されており、規制処理部２１は、拒絶信号を受信してから規制時間が経過するまで、位置登録要求信号の送信を規制するように構成されていてもよい。
【０１１９】
本実施形態の第２の特徴において、ＮＡＳコネクション設定要求信号に対する拒絶信号を受信してから規制時間が経過するまでであっても、ＡＳコネクション制御部１１は、緊急呼用のＡＳコネクションを設定するように要求するＡＳコネクション設定要求信号を送信することができ、ＮＡＳコネクション制御部２２は、緊急呼用のＮＡＳコネクションを設定するように要求するＮＡＳコネクション設定要求信号を送信することができてもよい。
【０１２０】
本実施形態の第３の特徴は、移動局ＵＥと特定接続先ＡＰＮとの間の特定通信を行う移動通信方法で用いられる交換局ＭＭＥ/ＳＧＳＮであって、移動局ＵＥと無線アクセスネットワーク装置との間でＡＳコネクションが設定されている状態で、移動局ＵＥとの間で特定通信用のＮＡＳコネクションを設定するように要求するＮＡＳコネクション設定要求信号を受信するように構成されているＮＡＳコネクション設定要求信号受信部３１と、ＮＡＳコネクション設定要求信号を受信した場合で、かつ、所定条件が満たされる場合、特定通信用のＮＡＳコネクションの設定を規制することを決定するように構成されている規制決定部３２と、移動局ＵＥに対して、特定通信用のＮＡＳコネクションの設定を規制する規制時間を含む拒絶信号を送信するように構成されている規制情報送信部３３とを具備することを要旨とする。
【０１２１】
なお、上述の移動局ＵＥや交換局ＭＭＥ、ＳＧＳＮの動作は、ハードウェアによって実施されてもよいし、プロセッサによって実行されるソフトウェアモジュールによって実施されてもよいし、両者の組み合わせによって実施されてもよい。
【０１２２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや交換局ＭＭＥ、ＳＧＳＮ内に設けられていてもよい。また、かかる記憶媒体及びプロセッサは、ディスクリートコンポーネントとして移動局ＵＥや交換局ＭＭＥ、ＳＧＳＮ内に設けられていてもよい。
【０１２４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１２５】
【図１】本発明の第１の実施形態に係る移動通信システムの全体構成図である。
【図２】本発明の第１の実施形態に係る移動局の機能ブロック図である。
【図３】本発明の第１の実施形態に係る交換局の機能ブロック図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る移動通信システムの動作を示すシーケンス図である。
【図７】本発明の変更例１に係る移動通信システムの全体構成図である。
【図８】本発明の変更例１に係る移動通信システムの動作を示すシーケンス図である。
【図９】本発明の変更例１に係る移動通信システムの動作を示すシーケンス図である。
【図１０】本発明の変更例１に係る移動通信システムの動作を示すシーケンス図である。
【符号の説明】
【０１２６】
ＵＥ…移動局
１００…ＡＳ処理部
１１…ＡＳコネクション制御部
２００…ＮＡＳ処理部
２１…規制処理部
２２…ＮＡＳコネクション制御部
ＭＭＥ、ＳＧＳＮ…交換局
３１…ＮＡＳコネクション設定要求信号受信部
３２…規制決定部
３３…規制情報送信部
【図１】
2010041630.tif 000003
【図２】
2010041630.tif 000004
【図３】
2010041630.tif 000005
【図４】
2010041630.tif 000006
【図５】
2010041630.tif 000007
【図６】
2010041630.tif 000008
【図７】
2010041630.tif 000009
【図８】
2010041630.tif 000010
【図９】
2010041630.tif 000011
【図１０】
2010041630.tif 000012
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
移動局と無線アクセスネットワーク装置との間でＡＳコネクションを設定する手順において、該移動局が、該無線アクセスネットワーク装置に対して、交換局との間でＮＡＳコネクションを設定するためのＮＡＳコネクション設定要求信号を含むＡＳコネクション設定応答信号を送信する工程と、
前記無線アクセスネットワーク装置が、前記交換局に対して、前記ＮＡＳコネクション設定要求信号を送信する工程と、
前記交換局が、前記ＮＡＳコネクション設定要求信号に応じて、前記無線アクセスネットワーク装置に対して、規制時間を含み前記ＮＡＳコネクションの設定を拒絶する拒絶信号を送信する工程と、
前記無線アクセスネットワーク装置が、前記移動局に対して、前記規制時間を含む前記拒絶信号を送信する工程と、
前記移動局が、前記拒絶信号を受信してから、前記規制時間が満了するまでの期間中、前記ＮＡＳコネクション設定要求信号の送信を規制する工程とを有することを特徴とする移動通信方法。
【請求項２】
無線アクセスネットワーク装置との間でＡＳコネクションを設定する手順において、該無線アクセスネットワーク装置に対して、交換局との間でＮＡＳコネクションを設定するためのＮＡＳコネクション設定要求信号を含むＡＳコネクション設定応答信号を送信するように構成されているＮＡＳコネクション制御部と、
前記ＮＡＳコネクション設定要求信号に対する拒絶信号を受信してから該拒絶信号に含まれている規制時間が経過するまで、前記ＮＡＳコネクション設定要求信号の送信を規制するように構成されている規制処理部とを具備することを特徴とする移動局。
【請求項３】
交換局であって、
移動局と無線アクセスネットワーク装置との間でＡＳコネクションを設定する手順において、該無線アクセスネットワーク装置から、該移動局と前記交換局との間でＮＡＳコネクションを設定するためのＮＡＳコネクション設定要求信号を受信するように構成されているＮＡＳコネクション設定要求信号受信部と、
前記ＮＡＳコネクション設定要求信号に応じて、前記無線アクセスネットワーク装置に対して、前記移動局における前記拒絶信号を受信してから前記ＮＡＳコネクション設定要求信号の送信を規制する期間を示す規制時間を含み前記ＮＡＳコネクションの設定を拒絶する拒絶信号を送信するように構成されている規制情報送信部とを具備することを特徴とする交換局。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
移動局と無線アクセスネットワーク装置との間でＡＳコネクションを設定する手順において、該移動局が、該無線アクセスネットワーク装置に対して、特定接続先との間の通信を確立するために交換局に向けて送信する特定通信用のＮＡＳコネクションを確立するためのＮＡＳコネクション設定要求信号を含むＡＳコネクション設定応答信号を送信する工程と、
前記無線アクセスネットワーク装置が、前記交換局に対して、前記ＮＡＳコネクション設定要求信号を送信する工程と、
前記交換局が、前記ＮＡＳコネクション設定要求信号に応じて、前記無線アクセスネットワーク装置に対して、規制時間を含み前記ＮＡＳコネクションの確立を拒絶する拒絶信号を送信する工程と、
前記無線アクセスネットワーク装置が、前記移動局に対して、前記規制時間を含む前記拒絶信号を送信する工程と、
前記移動局が、前記拒絶信号を受信してから、前記規制時間が満了するまでの期間中、前記ＮＡＳコネクション設定要求信号の送信を規制する工程とを有することを特徴とする移動通信方法。
【請求項２】
移動局であって、
無線アクセスネットワーク装置との間でＡＳコネクションを設定する手順において、該無線アクセスネットワーク装置に対して、特定接続先との間の通信を確立するために前記移動局が交換局に向けて送信する特定通信用のＮＡＳコネクションを確立するためのＮＡＳコネクション設定要求信号を含むＡＳコネクション設定応答信号を送信するように構成されているＮＡＳコネクション制御部と、
前記ＮＡＳコネクション設定要求信号に対する拒絶信号を受信してから該拒絶信号に含まれている規制時間が経過するまで、前記ＮＡＳコネクション設定要求信号の送信を規制するように構成されている規制処理部とを具備することを特徴とする移動局。
【請求項３】
交換局であって、
移動局と無線アクセスネットワーク装置との間でＡＳコネクションを設定する手順において、該無線アクセスネットワーク装置から、特定接続先との間の通信を確立するために移動局が前記交換局に向けて送信する特定通信用のＮＡＳコネクションを確立するためのＮＡＳコネクション設定要求信号を受信するように構成されているＮＡＳコネクション設定要求信号受信部と、
前記ＮＡＳコネクション設定要求信号に応じて、前記無線アクセスネットワーク装置に対して、前記移動局における前記拒絶信号を受信してから前記ＮＡＳコネクション設定要求信号の送信を規制する期間を示す規制時間を含み前記ＮＡＳコネクションの確立を拒絶する拒絶信号を送信するように構成されている規制情報送信部とを具備することを特徴とする交換局。